(57)【要約】【課題】拾得又は盗まれた認証媒体を用いてエレベータが不正に利用された場合、エレベータ利用者を撮像しているカメラの映像を用い、不正利用者の確認を容易に行う。【解決手段】エレベータ防犯システムにおいて、エレベータ利用者が携帯する認証媒体の認証データを認証する認証部１と、エレベータ利用者を撮像するカメラ２と、カメラ２により撮像された映像が記録される記録部３と、認証媒体の認証データとこの認証データに対応する記録部３の動作が設定される設定部４と、認証部１での認証結果と設定部４に設定された内容とにより、認証部１で認証される認証データに対応する記録部３の動作を判定する判定部５と、判定部５で判定された結果に応じた動作指令を記録部３に対して出力する動作指令部６と、を備える。【選択図】図１
2008074507.tif 000002
【特許請求の範囲】
【請求項１】
エレベータ利用者が携帯する認証媒体の認証データを認証する認証部と、
前記エレベータ利用者を撮像するカメラと、
前記カメラにより撮像された映像が記録される記録部と、
前記認証媒体の認証データとこの認証データに対応する前記記録部の動作が設定される設定部と、
前記認証部での認証結果と前記設定部に設定された内容とにより、前記認証部で認証される認証データに対応する前記記録部の動作を判定する判定部と、
前記判定部で判定された結果に応じた動作指令を前記記録部に対して出力する動作指令部と、
を備えることを特徴とするエレベータ防犯システム。
【請求項２】
前記設定部は、前記記録部に記録される映像に対する着色の有無を設定可能であることを特徴とする請求項１記載のエレベータ防犯システム。
【請求項３】
前記設定部は、外部に設けられているアラーム機器に対するアラーム信号の出力の有無を設定可能であることを特徴とする請求項１記載のエレベータ防犯システム。
【請求項４】
前記設定部は、全ての前記認証媒体を対象として設定可能であることを特徴とする請求項１記載のエレベータ防犯システム。
【請求項５】
前記設定部は、特定の前記認証媒体を対象して設定可能であることを特徴とする請求項１記載のエレベータ防犯システム。
【請求項６】
前記判定部は、前記記録部に対して記録動作を行わせる外部信号が入力された場合に、前記カメラが撮像する映像を全て記録させる手段を備えることを特徴とする請求項１記載のエレベータ防犯システム。
【発明の詳細な説明】
【技術分野】
【０００１】
本発明は、エレベータ防犯システムに関し、特に、ＩＣカード等の不正な取得によってエレベータが不正に利用された場合、その不正利用者の確認を行うことができるエレベータ防犯システムに関する。
【背景技術】
【０００２】
例えば、下記特許文献１に記載されているように、エレベータ利用者を認証する認証装置と、エレベータ利用者を撮像するカメラとを備え、セキュリティ性能の向上を図ったエレベータ防犯システムが知られている。このようなエレベータ防犯システムでは、認証装置により認証された者だけがエレベータを利用することができ、また、エレベータ利用者がカメラにより撮像されている。
【０００３】
認証装置としては、非接触式のＩＣカード等の認証媒体に記録されている認証データを読取る方式のものが知られている。
【特許文献１】特開２００６−１０３８５４号公報
【発明の開示】
【発明が解決しようとする課題】
【０００４】
しかしながら、前述のエレベータ防犯システムにおいては、以下のような問題点があった。
【０００５】
拾得したＩＣカードや、正規の所有者から盗んだＩＣカードを用いてエレベータを不正に利用する場合がある。
【０００６】
このような場合において、エレベータ利用者をカメラで撮影した映像が全て記録されていても、記録された映像を再生するためには長時間を必要とする。また、記録されているエレベータ利用者が帽子やヘルメットを被っている等の理由から、ＩＣカードの正規の所有者であるか否かの判断が困難な場合がある。このため、不正に取得されたＩＣカード等を用いたエレベータの不正利用がいつ行われたのか、又は、不正に取得されたＩＣカード等を用いてエレベータを不正に利用したのは誰であるかということを判断することが困難な場合が多い。
【０００７】
本発明はこのような課題を解決するためになされたもので、その目的は、不正に取得されたＩＣカード等の認証媒体を用いてエレベータが不正に利用された場合、エレベータ利用者を撮像しているカメラの映像を用い、不正利用者の確認を容易に行うことである。
【課題を解決するための手段】
【０００８】
本発明の実施の形態に係る特徴は、エレベータ防犯システムにおいて、エレベータ利用者が携帯する認証媒体の認証データを認証する認証部と、前記エレベータ利用者を撮像するカメラと、前記カメラにより撮像された映像が記録される記録部と、前記認証媒体の認証データとこの認証データに対応する前記記録部の動作が設定される設定部と、前記認証部での認証結果と前記設定部に設定された内容とにより、前記認証部で認証される認証データに対応する前記記録部の動作を判定する判定部と、前記判定部で判定された結果に応じた動作指令を前記記録部に対して出力する動作指令部と、を備えることである。
【発明の効果】
【０００９】
本発明によれば、不正に取得された認証媒体を用いてエレベータが不正に利用された場合に、エレベータ利用者を撮像するカメラの映像を記録部に記録し、不正利用者の確認を容易に行うことができる。
【発明を実施するための最良の形態】
【００１０】
以下、本発明の実施の形態を図面を用いて説明する。
【００１１】
（第１の実施の形態）
本発明の第１の実施の形態に係るエレベータ防犯システムは、図１に示すように、認証部１と、カメラ２と、記録部３とを備えている。さらに、エレベータ防犯システムは、設定部４と、判定部５と、動作指令部６と、エレベータ制御部７と、記憶部８とを備えている。
【００１２】
認証部１は、エレベータ利用者が携帯する認証媒体であるＩＣカード（図示せず）に記録されている認証データであるＩＤ番号を読取ることが可能である。ＩＣカードは、各エレベータ利用者に渡され、各ＩＣカードには固有のＩＤ番号が記録されている。なお、認証媒体としてはＩＣカード以外のものを使用することが可能である。例えば、個々の認証データを有するキーを使用することができる。
【００１３】
カメラ２は、エレベータ乗りかご内、又は、エレベータ乗り場に設置され、エレベータ利用者を撮像することが可能である。撮像された映像の信号は、記録部３に供給される。
【００１４】
記録部３は、カメラ２により撮像された映像の信号が供給され、供給された映像が後述する設定部４の設定に基づいて適宜記録される。
【００１５】
設定部４は、図２に示す設定テーブル９を備えている。この設定テーブル９には、各エレベータ利用者が携帯するＩＣカードのＩＤ番号と、各ＩＤ番号に対応させた記録部３の動作（記録設定状態）のデータと、各ＩＤ番号に対応させた記録部３に記録する場合の映像着色の有無のデータと、各ＩＤ番号に対応させたエレベータ利用可能階床のデータとが設定されている。
【００１６】
また、設定部４は、データを入力するキーボード等の入力操作部を備え、必要に応じて設定テーブル９のデータが変更可能とされている。例えば、ＩＣカードを紛失し又はＩＣカードが盗まれた場合には、紛失又は盗難の連絡を受けた管理人が、紛失又は盗まれたＩＣカードのＩＤ番号に対応する設定テーブル９のデータについて、記録設定状態を「記録しない」から「記録する」に変更することができる。この変更により、紛失又は盗まれた後に不正に取得されたＩＣカードを使用してエレベータを不正利用する者がいた場合に、その不正なエレベータ利用者を撮像しているカメラ２の映像を記録部３に記録することができる。このため、記録部３に記録された不正利用者の映像を再生することにより、不正利用者の確認を容易に行うことができる。
【００１７】
なお、個々のエレベータ利用者の希望により、自己が携帯するＩＣカードのＩＤデータに対応する設定テーブル９のデータを、「記録する」、「着色する」等に設定することも可能である。
【００１８】
記憶部８には、設定部４で設定された設定テーブル９のデータが記憶されている。
【００１９】
判定部５は、認証部１で読み取ったＩＤ番号と同じＩＤ番号を、記憶部８に記憶されている設定テーブル９のデータ内から検索し、検索したＩＤ番号に対応するデータを呼び出す。判定部５は、記憶部８から呼び出したデータに基づき、認証部１で読取ったＩＤ番号に対応する記録部３の動作、映像着色の有無、エレベータ利用可能階床等を判定する。この判定結果は、動作指令部６とエレベータ制御部７とに出力される。
【００２０】
また、判定部５は、記録部３に対して記録動作を行わせる外部信号が入力された場合に、設定部４の設定テーブル９に設定されたデータの内容に係わらず、カメラ２が撮像する映像を全て記録させる手段を備えている。外部信号は、例えば、管理センタ又は管理者が、カメラ２により撮像された映像を全て残す必要があると判断した場合に、管理センタ内の担当者又は管理者の入力操作に基づいて入力される信号である。この場合には、設定部４の設定テーブル９において、或るＩＣカードのＩＤ番号に対応する記録設定状態のデータが「記録しない」と設定されていても、そのＩＣカードのＩＤ番号が認証部１で認証された場合には、カメラ２により撮像された映像が記録部３に記録される。
【００２１】
動作指令部６は、判定部５で判定された映像の記録に関する判定結果が出力され、その判定結果の出力に応じた動作指令を記録部３に対して出力する。例えば、図２に示す設定部４内の設定テーブル９の記録設定状態のデータが「記録する」に設定されていることが判定部５で判定された場合には、その判定結果が動作指令部６に出力される。この出力に基づき、動作指令部６から記録部３に対して記録を行う旨の動作指令が出力され、カメラ２により撮像された映像が記録部３に記録される。
【００２２】
一方、設定テーブル９の記録設定状態のデータが「記録しない」に設定されていることが判定部５で判定された場合には、その判定結果が動作指令部６に出力される。この出力に基づき、動作指令部６から記録部３に対して記録を行わない旨の動作指令が出力され、カメラ２により撮像された映像の記録部３への記録は行われない。
【００２３】
また、映像着色のデータが「着色する」に設定されている場合には、記録部３に記録される映像が着色され、通常時に記録されている無着色のオリジナル映像との差別化が図られる。映像の着色方式としては、例えば、映像全体の色相を変える方式、背景の色相を変える方式等を採用することができる。
【００２４】
エレベータ制御部７は、判定部５から出力される判定結果に基づき、エレベータ乗りかごの昇降動作、ドアの開閉動作などを制御する。エレベータ制御部７から記録部３に対してドアの開閉信号が出力され、この開閉信号の出力に基づいて記録部３の記録動作の開始タイミング、終了タイミング等が制御される。
【００２５】
エレベータ防犯システムの制御内容について、図３のフローチャートを参照して説明する。このエレベータ防犯システムの制御は、エレベータ乗りかごの昇降及びドア開閉を行うエレベータ制御と、カメラ２により撮像された映像を記録部３に記録する制御とが並列的に行われる。ここでは、カメラ２により撮像された映像を記録部３に記録する制御について説明する。
【００２６】
認証部１では、ＩＣカードのＩＤ番号が読取られたか否かが判断される（Ｓ１）。
【００２７】
認証部１においてＩＤ番号の読取りが行われた場合は（Ｓ１のＹＥＳ）、外部信号が入力されているか否かが判断される（Ｓ２）。
【００２８】
外部信号が入力されている場合は（Ｓ２のＹＥＳ）、外部信号が動作指令部６に出力され、さらに、動作指令部６から記録部３に対して記録を行う動作指令が出力され、カメラ２により撮像された全てのエレベータ利用者の映像が記録部３に記録される（Ｓ３）。この場合に記録部３に記録される映像は、着色無しの通常状態（オリジナル映像）とすることができる。
【００２９】
外部信号が入力されていない場合は（Ｓ２のＮＯ）、読取ったＩＤ番号に対応する記録設定状態のデータが「記録する」であるか否かが判断される（Ｓ４）。
【００３０】
ステップＳ４において、読取ったＩＤ番号に対応する記録設定状態のデータが「記録しない」であると判断された場合は（Ｓ４のＮＯ）、カメラ２により撮像された映像の記録は行われない。
【００３１】
ステップＳ４において、読取ったＩＤ番号に対応する記録設定状態のデータが「記録する」であると判断された場合は（Ｓ４のＹＥＳ）、読取ったＩＤ番号に対応する映像着色のデータが「着色する」であるか否かが判断される（Ｓ５）。
【００３２】
ステップＳ５において、読取ったＩＤ番号に対応する映像着色のデータが「着色しない」であると判断された場合は（Ｓ５のＮＯ）、動作指令部６に対して着色無しで記録する旨の信号が出力され、さらに、動作指令部６から記録部３に対して記録を行う動作指令が出力され、カメラ２により撮像された映像は、着色無しの通常状態（オリジナル映像）で記録される（Ｓ６）。
【００３３】
ステップＳ５において、読取ったＩＤ番号に対応する映像着色のデータが「着色する」であると判断された場合は（Ｓ５のＹＥＳ）、動作指令部６に対して着色して記録する旨の信号が出力され、さらに、動作指令部６から記録部３に対して記録を行う動作指令が出力され、カメラ２により撮像された映像は、着色された状態で記録される（Ｓ７）。
【００３４】
このような構成において、ＩＣカードを紛失し、又は、ＩＣカードが盗まれた場合には、紛失又は盗まれたＩＣカードのＩＤ番号に対応する設定テーブル９のデータの一つである記録設定状態を、「記録する」に設定することができる。
【００３５】
これにより、拾得又は盗まれた後に不正に使用されたＩＣカードのＩＤ番号が認証部１で読取られた場合には、そのＩＣカードを使用するエレベータ利用者を撮像したカメラ２の映像を記録部３に記録することができる。つまり、エレベータ利用者を撮像した映像の全てを記録部３に記録するのではなく、拾得又は盗難されたＩＣカードを使用してエレベータを不正利用する人物についてのみ記録部３に記録することができる。このため、不正に取得されたＩＣカードを用いたエレベータの不正利用がいつ行われたのか、又は、不正に取得されたＩＣカードを用いてエレベータの不正利用をしたのは誰であるかの判断を、的確かつ迅速に行うことができる。
【００３６】
さらに、紛失又は盗まれたＩＣカードのＩＤ番号に対応する設定テーブル９のデータの一つである映像着色を、「着色する」に設定することができる。
【００３７】
これにより、不正に取得されたＩＣカードのＩＤ番号が認証部１で読取られた場合にカメラ２により撮像された映像を、着色状態で記録部３に記録することができる。このため、記録部３に記録されている他の無着色の映像に対して容易に識別することができ、記録部３に記録された映像を再生する場合に、不正に取得されたＩＣカードを用いたエレベータの不正利用がいつ行われたのか、又は、不正に取得されたＩＣカードを用いてエレベータの不正利用をしたのは誰であるかの判断を、より一層的確かつ迅速に行うことができる。
【００３８】
なお、第１の実施の形態の設定テーブル９は、全てのＩＣカードを対象として各種のデータを設定可能である場合を例に挙げて説明している。しかし、この設定テーブルの構造を、紛失又は盗まれた特定のＩＣカードのみを対象して設定する構造とすることができる。但し、この場合には、各ＩＣカードに対応するエレベータの利用可能階の設定テーブルについては、別個に設ける必要がある。
【００３９】
また、第１の実施の形態では、外部信号が入力されている場合、カメラ２により撮像した映像を全て着色無しの状態で記録する場合を例に挙げて説明したが、設定テーブル９に設定された映像着色のデータが「着色する」の場合には、着色状態で記録するように設定することも可能である。
【００４０】
（第２の実施の形態）
本発明の第２の実施の形態に係るエレベータ防犯システムについて、図４及び図５に基づいて説明する。なお、第１の実施の形態において説明した構成要素と同じ構成要素には同じ符号を付け、重複する説明は省略する。
【００４１】
第２の実施の形態では、第１の実施の形態のエレベータ防犯システムに対し、外部に設けられているアラーム機器１０に対するアラーム信号を出力する手段が設定部４に追加されている。アラーム機器１０は、例えば、管理人室や管理センタに設けられ、警報音を発する。
【００４２】
設定部４は、図５に示す設定テーブル１１を備えている。この設定テーブル１１には、各エレベータ利用者が携帯するＩＣカードのＩＤ番号と、第１の実施の形態で説明した各ＩＤ番号に対応させたデータに加え、アラーム出力をするかしないかのデータが設定されている。
【００４３】
或るＩＣカードのＩＤデータに対応するアラーム出力のデータが「出力する」に設定されている場合には、そのＩＤデータが認証部１で読取られた場合、判定部５からアラーム機器１０に対してアラーム信号が出力され、アラーム機器１０から警報音が発せられる。
【００４４】
このような構成において、ＩＣカードを紛失し、又は、ＩＣカードが盗まれた場合には、そのＩＣカードのＩＤ番号に対応する設定テーブル９のデータの一つであるアラーム出力を、「出力する」に設定することができる。
【００４５】
これにより、不正に取得されたＩＣカードのＩＤ番号が認証部１で読取られた場合には、アラーム機器１０から警報音が発せられる。このため、不正に取得されたＩＣカードを用いたエレベータの不正利用が行われた場合は、管理人又は管理センタの担当者がリアルタイムで確認することができ、警備員等に対して連絡を取ることができる。
【図面の簡単な説明】
【００４６】
【図１】本発明の第１の実施の形態に係るエレベータ防犯システムの概略構成を示すブロック図である。
【図２】設定部に設けられた設定テーブルの内容を示す模式図である。
【図３】エレベータ防犯システムの制御内容について説明するフローチャートである。
【図４】本発明の第２の実施の形態に係るエレベータ防犯システムの概略構成を示すブロック図である。
【図５】設定部に設けられた設定テーブルの内容を示す模式図である。
【符号の説明】
【００４７】
１      認証部
２      カメラ
３      記録部
４      設定部
５      判定部
６      動作指令部
１０      アラーム機器
【図１】
2008074507.tif 000003
【図２】
2008074507.tif 000004
【図３】
2008074507.tif 000005
【図４】
2008074507.tif 000006
【図５】
2008074507.tif 000007